【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
入力された画像データを処理する画像処理装置であって、
入力されたデジタル画像データを第１ビット深度のデータと第２ビット深度のデータとに分割する分割手段と、
前記第１ビット深度のデータに対応する参照値を記憶した第１記憶手段と、
前記分割手段により分割された前記第１ビット深度のデータに基づいて、前記第１記憶手段から参照値を読み出すための情報を格納したスライド辞書と、前記分割手段により分割された第１ビット深度のデータと前記スライド辞書に格納された情報とを関係付けるコード情報と、を生成する生成手段と、
前記スライド辞書に格納された情報に基づいて、前記第１記憶手段から参照値を読み出し、第２記憶手段に格納する読み出し手段と、
前記第２ビット深度のデータに基づき補間演算のための重み係数を算出する補間係数算出手段と、
前記第２記憶手段から前記コード情報に基づいて読み出された参照値を、前記重み係数に基づき補間する補間演算手段と、
を備えることを特徴とする画像処理装置。
【請求項２】
前記コード情報には、前記スライド辞書に格納されている情報の開始を示すデータ、終了を示すデータ及び前記情報の繰り返しを示す連続数のデータが含まれていることを特徴とする請求項１に記載の画像処理装置。
【請求項３】
複数の前記補間演算手段が設けられ、前記第２記憶手段から前記コード情報に基づいて読み出された参照値を、複数の前記補間演算手段が前記重み係数に基づき並列に補間演算を行うことを特徴とする請求項１または２に記載の画像処理装置。
【請求項４】
前記補間係数算出手段は、前記コード情報に従い読み出された前記第２ビット深度のデータに基づき補間演算のための重み係数を算出することを特徴とする請求項１に記載の画像処理装置。
【請求項５】
前記補間演算手段により補間された参照値に基づき記録媒体上に画像形成する出力手段を更に備えることを特徴とする請求項１に記載の画像処理装置。
【請求項６】
入力された画像データを処理する画像処理方法であって、
分割手段が、入力されたデジタル画像データを第１ビット深度のデータと第２ビット深度のデータとに分割する分割工程と、
生成手段が、前記分割された第１ビット深度のデータに基づいて、第１記憶手段から参照値を読み出すための情報を格納したスライド辞書と、前記分割された第１ビット深度のデータと前記スライド辞書に格納された情報とを関係付けるコード情報と、を生成する生成工程と、
読み出し手段が、前記スライド辞書に格納された情報に基づいて、前記第１記憶手段から参照値を読み出し、第２記憶手段に格納する読み出し工程と、
補間計数演算手段が、前記第２ビット深度のデータに基づき補間演算のための重み係数を算出する補間係数算出工程と、
補間演算手段が、前記第２記憶手段から前記コード情報に基づいて読み出された参照値を、前記重み係数に基づき補間する補間演算工程と、を有することを特徴とする画像処理方法。
【請求項７】
前記コード情報には、前記スライド辞書に格納されている情報の開始を示すデータ、終了を示すデータ及び前記情報の繰り返しを示す連続数のデータが含まれていることを特徴とする請求項６に記載の画像処理方法。
【請求項８】
前記第２記憶手段から前記コード情報に基づいて読み出された参照値を、複数の前記補間演算手段が前記重み係数に基づき並列に補間演算を行うことを特徴とする請求項６または７に記載の画像処理方法。
【請求項９】
前記補間係数算出工程が、前記コード情報に従い読み出された前記第２ビット深度のデータに基づき補間演算のための重み係数を算出することを特徴とする請求項６に記載の画像処理方法。
【請求項１０】
出力手段が、前記補間演算工程により補間された参照値に基づき記録媒体上に画像形成する出力工程を更に有することを特徴とする請求項６に記載の画像処理方法。
【手続補正２】
【補正対象書類名】明細書
【補正対象項目名】発明の名称
【補正方法】変更
【補正の内容】
【発明の名称】画像処理装置及び方法
【手続補正３】
【補正対象書類名】明細書
【補正対象項目名】００１７
【補正方法】変更
【補正の内容】
【００１７】
本発明に係る画像処理装置は、入力された画像データを処理する画像処理装置であって、
入力されたデジタル画像データを第１ビット深度のデータと第２ビット深度のデータとに分割する分割手段と、
前記第１ビット深度のデータに対応する参照値を記憶した第１記憶手段と、
前記分割手段により分割された前記第１ビット深度のデータに基づいて、前記第１記憶手段から参照値を読み出すための情報を格納したスライド辞書と、前記分割手段により分割された第１ビット深度のデータと前記スライド辞書に格納された情報とを関係付けるコード情報と、を生成する生成手段と、
前記スライド辞書に格納された情報に基づいて、前記第１記憶手段から参照値を読み出し、第２記憶手段に格納する読み出し手段と、
前記第２ビット深度のデータに基づき補間演算のための重み係数を算出する補間係数算出手段と、
前記第２記憶手段から前記コード情報に基づいて読み出された参照値を、前記重み係数に基づき補間する補間演算手段と、
を備えることを特徴とする。
【手続補正４】
【補正対象書類名】明細書
【補正対象項目名】００１８
【補正方法】変更
【補正の内容】
【００１８】
あるいは、本発明に係る画像処理方法は、入力された画像データを処理する画像処理方法であって、
分割手段が、入力されたデジタル画像データを第１ビット深度のデータと第２ビット深度のデータとに分割する分割工程と、
生成手段が、前記分割された第１ビット深度のデータに基づいて、第１記憶手段から参照値を読み出すための情報を格納したスライド辞書と、前記分割された第１ビット深度のデータと前記スライド辞書に格納された情報とを関係付けるコード情報と、を生成する生成工程と、
読み出し手段が、前記スライド辞書に格納された情報に基づいて、前記第１記憶手段から参照値を読み出し、第２記憶手段に格納する読み出し工程と、
補間計数演算手段が、前記第２ビット深度のデータに基づき補間演算のための重み係数を算出する補間係数算出工程と、
補間演算手段が、前記第２記憶手段から前記コード情報に基づいて読み出された参照値を、前記重み係数に基づき補間する補間演算工程と、を有することを特徴とする。
【手続補正５】
【補正対象書類名】明細書
【補正対象項目名】００３４
【補正方法】変更
【補正の内容】
【００３４】
画像処理部１３０において、ランレングス圧縮法またはＬＺ７７符号化（スライド辞書法）を用いて辞書を作成して色変換処理を実行する補間ユニットに適用することが可能である。また、色変換処理を実行する補間ユニットとして、ＬＺ７７とランレングス圧縮法とを併用した連続数付きスライド辞書を作成して画像処理部１３０に適用することも可能である。
【手続補正６】
【補正対象書類名】明細書
【補正対象項目名】００３８
【補正方法】変更
【補正の内容】
【００３８】
処理すべきデータ列５５１が入力されると、ＣＰＵ１１２は、データ列５５１のうちスライド辞書５５２に書き込まれていない初出のデータ（文字）を検出し、スライド辞書５５２のエントリ領域（[０]〜[４]）に順次書き込む。データ列５５１のうち最初の「Ａ」５００はスライド辞書５５２のエントリ領域に存在していないので、ＣＰＵ１１２は、スライド辞書５５２のエントリ領域[０]に「Ａ」を書き込む。そして、コード値５３１の「開始」のデータとして、スライド辞書５５２のエントリ領域[０]に対応するデータ（文字）「Ａ」が書き込まれたことを示す「０」が格納される。
【手続補正７】
【補正対象書類名】明細書
【補正対象項目名】００５８
【補正方法】変更
【補正の内容】
【００５８】
データ分割部２１０による分割処理において、補間演算のときに使用される単位超立体の個数に応じてそのビット深度が決定される。例えば、Ｎ次元空間のある次元（軸）について単位超立体が２Ｍ-１個ある場合、その次元（軸）に対応する整数データのビット深度はＭビットとなる。小数データはデジタル画像信号のビット深度（Ｌ）から整数データのビット深度（Ｍ）を差し引いた、残りのビット深度（Ｌ−Ｍ）で表現される。
【手続補正８】
【補正対象書類名】明細書
【補正対象項目名】００７４
【補正方法】変更
【補正の内容】
【００７４】
辞書生成部３０５は、Ｎ次元の整数データ６０２を、ＤＲＡＭ３７０の多次元ＬＵＴ２４６から色空間変換に必要な参照値を読み出すための情報（アドレス）６０４に変換する。辞書生成部３０５は１次元のアドレス６０４に対して、辞書６０５およびコード値６０６を生成する。辞書生成部３０５は１次元のアドレス６０４から初出のデータを検出し、辞書６０５のエントリ領域（[０]、[１]、・・・[ｍ]）に順次格納する。辞書生成部３０５は、内部にあるＦＩＦＯの段数（辞書のエントリ領域の数）を固定数として、ＦＩＦＯが一杯になった段階でデータ分割部２１０からの入力を停止する。